(57)【要約】【課題】払拭により液体噴射ヘッドから飛散した液体による汚染を抑制することができる液体噴射装置を提供する。【解決手段】液体噴射装置１１は、媒体Ｓに向けて液体を噴射するノズル及びノズルが開口する開口面１３ｂを有する液体噴射ヘッド１３と、ノズルから排出される液体を受容する受容キャップ４０と、ノズルから液体を噴射しないときに、開口面１３ｂとの間に閉空間を形成する保湿キャップ５０と、液体噴射ヘッド１３に対する相対移動に伴って開口面１３ｂの払拭を行う払拭部材３２と、を備える。払拭部材３２は、相対移動方向において受容キャップ４０と保湿キャップ５０の間に配置され、液体噴射ヘッド１３が受容キャップ４０側から保湿キャップ５０側に移動するように払拭部材３２に対して相対移動することにより、払拭を行う。【選択図】図１
2018001663.tif 000002
【特許請求の範囲】
【請求項１】
媒体に向けて液体を噴射するノズル及び前記ノズルが開口する開口面を有する液体噴射ヘッドと、
前記ノズルから排出される前記液体を受容する受容キャップと、
前記ノズルから前記液体を噴射しないときに、前記開口面との間に閉空間を形成する保湿キャップと、
前記液体噴射ヘッドに対する相対移動に伴って前記開口面の払拭を行う払拭部材と、
を備え、
前記払拭部材は、前記相対移動方向において前記受容キャップと前記保湿キャップの間に配置され、
前記液体噴射ヘッドが前記受容キャップ側から前記保湿キャップ側に移動するように前記払拭部材に対して相対移動することにより、前記払拭を行う
ことを特徴とする液体噴射装置。
【請求項２】
前記媒体を支持する支持部と、
前記液体噴射ヘッドを、前記支持部と対向する第１位置と、前記払拭を行う第２位置とに変位させる変位機構と、
を備え、
前記保湿キャップは前記受容キャップよりも前記支持部に近い位置に配置される
ことを特徴とする請求項１に記載の液体噴射装置。
【請求項３】
前記変位機構は、回動により前記液体噴射ヘッドを前記第１位置と前記第２位置とに変位させる
ことを特徴とする請求項２に記載の液体噴射装置。
【請求項４】
前記受容キャップ内を吸引する吸引機構と、
前記受容キャップ内から吸引された前記液体を廃液として収容する廃液収容部と、
前記廃液収容部と前記保湿キャップとを接続する保湿流路と、
を備える
ことを特徴とする請求項１から請求項３のうちいずれか一項に記載の液体噴射装置。
【請求項５】
前記保湿流路を開閉する開閉弁を備え、
前記開閉弁は、前記保湿キャップが前記閉空間を形成するときに開弁し、前記保湿キャップが前記閉空間を形成しないときに閉弁する
ことを特徴とする請求項４に記載の液体噴射装置。
【請求項６】
前記廃液収容部は、その内部空間を外部空間と連通させる大気連通路を有し、
前記大気連通路は経路を延長するための蛇行流路を含む
ことを特徴とする請求項４または請求項５に記載の液体噴射装置。
【発明の詳細な説明】
【技術分野】
【０００１】
本発明は、プリンターなどの液体噴射装置に関する。
【背景技術】
【０００２】
液体噴射装置の一例として、液滴を吐出する記録ヘッドを払拭するワイパ部材と、記録ヘッドから液体を排出させる吸引キャップと、液滴を吐出しないときに記録ヘッドの乾燥を抑制するための保湿キャップと、を備えたインクジェット式のプリンターがある（例えば、特許文献１）。
【先行技術文献】
【特許文献】
【０００３】
【特許文献１】特開２０１３−３９７２３号公報
【発明の概要】
【発明が解決しようとする課題】
【０００４】
ところで、記録ヘッドがワイパ部材に対して相対移動することで払拭を行った後には、ワイパ部材が記録ヘッドから離れるときの勢いで、払拭により掻き集めた液体等が払拭方向に飛散してしまうことがある。このように飛散した液体が保湿キャップに付着すると、保湿キャップを介して液体が記録ヘッドに付いてしまったり、さらにその記録ヘッドに用紙が接触して汚れてしまったりする、という課題がある。なお、このような課題は、インクを噴射して印刷を行うプリンターに限らず、払拭に伴って液体が飛散することのある液体噴射装置においては、概ね共通したものとなっている。
【０００５】
本発明は、こうした実情に鑑みてなされたものであり、その目的は、払拭により液体噴射ヘッドから飛散した液体による汚染を抑制することができる液体噴射装置を提供することにある。
【課題を解決するための手段】
【０００６】
以下、上記課題を解決するための手段及びその作用効果について記載する。
上記課題を解決する液体噴射装置は、媒体に向けて液体を噴射するノズル及び前記ノズルが開口する開口面を有する液体噴射ヘッドと、前記ノズルから排出される前記液体を受容する受容キャップと、前記ノズルから前記液体を噴射しないときに、前記開口面との間に閉空間を形成する保湿キャップと、前記液体噴射ヘッドに対する相対移動に伴って前記開口面の払拭を行う払拭部材と、を備え、前記払拭部材は、前記相対移動方向において前記受容キャップと前記保湿キャップの間に配置され、前記液体噴射ヘッドが前記受容キャップ側から前記保湿キャップ側に移動するように前記払拭部材に対して相対移動することにより、前記払拭を行う。
【０００７】
この構成によれば、開口面を払拭するときには、液体噴射ヘッドが受容キャップ側から保湿キャップ側に移動するように払拭部材に対して相対移動するので、払拭部材が払拭を終えて液体噴射ヘッドから離れるときに、その払拭方向の先には受容キャップがある。そのため、払拭を行った後に、払拭部材が液体噴射ヘッドから離れるときの勢いで、払拭により掻き集めた液体等が払拭方向に飛散したとしても、その飛散した液体は、液体を受容するための受容キャップに受容される。そして、保湿キャップの方には払拭した液体が飛散しにくいので、保湿キャップに液体が付いたり、保湿キャップを介して液体が液体噴射ヘッドに付いたり、その液体噴射ヘッドを介して媒体が汚れたりもしにくい。したがって、払拭により液体噴射ヘッドから飛散した液体による汚染を抑制することができる。なお、払拭方向とは、開口面において払拭が進行する方向であり、払拭時に液体噴射ヘッドが移動しない場合には払拭部材の移動方向であり、払拭時に払拭部材が移動しない場合には、液体噴射ヘッドの移動方向の反対方向である。
【０００８】
上記液体噴射装置は、前記媒体を支持する支持部と、前記液体噴射ヘッドを、前記支持部と対向する第１位置と、前記払拭を行う第２位置とに変位させる変位機構と、を備え、前記保湿キャップは前記受容キャップよりも前記支持部に近い位置に配置される。
【０００９】
この構成によれば、保湿キャップは受容キャップよりも支持部に近い位置に配置されるので、液体噴射ヘッドの払拭に伴って液体が飛散したとしても、その飛散した液体は支持部から離れる方向に飛ぶ。そのため、払拭により液体噴射ヘッドから飛散した液体による支持部の汚染を抑制することができる。
【００１０】
上記液体噴射装置において、前記変位機構は、回動により前記液体噴射ヘッドを前記第１位置と前記第２位置とに変位させる。
この構成によれば、変位機構が液体噴射ヘッドを回動させることにより、液体噴射ヘッドの姿勢をスムーズに変化させることができる。
【００１１】
上記液体噴射装置は、前記受容キャップ内を吸引する吸引機構と、前記受容キャップ内から吸引された前記液体を廃液として収容する廃液収容部と、前記廃液収容部と前記保湿キャップとを接続する保湿流路と、を備える。
【００１２】
この構成によれば、廃液収容部と保湿キャップとが保湿流路を介して連通することにより、廃液収容部に収容された廃液から気化した成分を保湿キャップ内に導入することができる。これにより、保湿キャップが形成する閉空間を加湿して、この閉空間に開口するノズルを効果的に保湿することができる。
【００１３】
上記液体噴射装置は、前記保湿流路を開閉する開閉弁を備え、前記開閉弁は、前記保湿キャップが前記閉空間を形成するときに開弁し、前記保湿キャップが前記閉空間を形成しないときに閉弁する。
【００１４】
この構成によれば、保湿キャップが閉空間を形成するときに開閉弁が開弁することで、廃液収容部内で気化した廃液の成分を閉空間に導入し、加湿することができる。また、保湿キャップが閉空間を形成しないときには、開閉弁が閉弁することで、廃液収容部に収容された廃液の蒸発を抑制することができる。
【００１５】
上記液体噴射装置において、前記廃液収容部は、その内部空間を外部空間と連通させる大気連通路を有し、前記大気連通路は経路を延長するための蛇行流路を含む。
この構成によれば、廃液収容部は大気連通路として蛇行流路を有するので、廃液収容部に収容された廃液の蒸発を抑制しつつ、廃液収容部の内部空間を大気開放することができる。
【図面の簡単な説明】
【００１６】
【図１】液体噴射装置の一実施形態を模式的に示す断面図。
【図２】図１の液体噴射装置が備える液体噴射ヘッドの底面図。
【図３】図２の液体噴射ヘッドの断面図。
【図４】図１の液体噴射装置が備えるメンテナンス装置の構成を示す平面図。
【図５】図４のメンテナンス装置の断面図。
【図６】液体噴射装置の第１変更例を模式的に示す断面図。
【図７】液体噴射装置の第２変更例を模式的に示す断面図。
【発明を実施するための形態】
【００１７】
以下、液体噴射装置の実施形態について、図を参照して説明する。液体噴射装置は、例えば、用紙などの媒体に液体の一例であるインクを噴射することによって記録（印刷）を行うインクジェット式のプリンターである。以下の説明において、鉛直下方を重力方向Ｚとし、水平な方向であって互いに異なる２方向を第１方向Ｘ、第２方向Ｙとする。
【００１８】
図１に示すように、液体噴射装置１１は、筐体１２と、筐体１２内で液体を噴射する液体噴射ヘッド１３と、液体噴射ヘッド１３のメンテナンスを行うメンテナンス装置３１と、液体噴射ヘッド１３を変位させる変位機構１４と、複数の媒体Ｓを収容するカセット１７と、カセット１７から給送された媒体Ｓを支持する支持部１８と、備える。また、液体噴射装置１１は、メンテナンス装置３１を第２方向Ｙに沿って移動させる移動機構３４と、液体噴射ヘッド１３、変位機構１４、メンテナンス装置３１及び移動機構３４の動作を制御する制御部１００と、を備える。なお、図１、図４及び図５において破線で示す構成要素は、その存在を示すために模式的に図示している。
【００１９】
筐体１２の内側または外側（本実施形態では筐体１２の内側）には、液体噴射ヘッド１３に供給する液体を収容する１または複数（本実施形態では４つ）の液体収容体１９が装着される装着部２０が設けられる。また、液体噴射装置１１は、液体噴射ヘッド１３に液体を供給する液体供給路２１と、液体を加圧するための加圧機構２２とを備える。加圧機構２２が液体収容体１９に収容された液体を加圧すると、加圧された液体が液体供給路２１を通じて液体噴射ヘッド１３に供給される。なお、加圧機構２２は、液体供給路２１内の液体を直接加圧する構成を採用してもよい。
【００２０】
変位機構１４は、液体噴射ヘッド１３を保持する保持部材１５を備え、回動軸１６を中心に保持部材１５を矢印で示すように回動させることにより、液体噴射ヘッド１３を図１に実線で示す第１位置と、図１に二点鎖線で示す第２位置とに変位させる。液体噴射ヘッド１３は、第２位置のときに鉛直下方を向く開口面１３ｂを有する。
【００２１】
液体噴射ヘッド１３が第１位置にあるとき、開口面１３ｂは水平に対して傾いた状態になる。液体噴射ヘッド１３が第２位置にあるとき、開口面１３ｂの水平に対する傾きは第１位置にあるときよりも小さくなる。本実施形態において、液体噴射ヘッド１３が第２位置にあるときに開口面１３ｂは水平になるが、必ずしも水平でなくてもよく、第１位置にあるときよりも開口面１３ｂが水平に近くなればよい。すなわち、「開口面１３ｂの水平に対する傾きが第１位置にあるときよりも小さくなる」とは、開口面１３ｂの水平に対する傾きがゼロになって、開口面１３ｂが水平になることを含む。
【００２２】
液体噴射ヘッド１３は、第１位置にあるときに、支持部１８に支持された媒体Ｓに液体を液滴として噴射することで、印刷処理を行う。本実施形態において、支持部１８上において媒体Ｓが進む方向を搬送方向Ｆとし、第１位置において液体噴射ヘッド１３が液体を噴射する方向を噴射方向Ｊとする。また、搬送方向Ｆ及び噴射方向Ｊの双方と異なる方向を幅方向Ｗとする。
【００２３】
図２に示すように、液体噴射ヘッド１３は、媒体Ｓに向けて液体を噴射方向Ｊに噴射する複数のノズル２３と、ノズル２３が開口する開口面１３ｂとを有する。本実施形態の液体噴射ヘッド１３は、幅方向Ｗの印刷範囲が媒体Ｓの幅以上になるように配置された多数のノズル２３を有するラインヘッドを構成する。
【００２４】
液体噴射ヘッド１３は、ノズル２３が形成されたノズルプレート２４と、ノズル２３を露出させる開口２５ａを有する保護部材２５とを有する。本実施形態においては、ノズルプレート２４のノズル２３が開口する下面と保護部材２５の下面とを合わせて、ノズル２３が開口する開口面１３ｂとする。
【００２５】
本実施形態において、複数のノズル２３は幅方向Ｗに並んでノズル列を形成している。本実施形態では、４種の液体（例えば、４色のインク）に個別に対応するように、搬送方向Ｆに４列のノズル列Ｎ１，Ｎ２，Ｎ３，Ｎ４が並ぶ。ノズル列Ｎ１とノズル列Ｎ２は隣接して組をなし、ノズル列Ｎ３とノズル列Ｎ４は隣接して組をなす。その２列ずつ２組のノズル列は、それぞれが幅方向Ｗに分割されるとともに、分割された部分が搬送方向Ｆに交互に位置がずれるように配置されることで、搬送方向Ｆ及び幅方向Ｗに位置をずらしつつ並ぶ複数のノズル群を構成している。
【００２６】
このように、搬送方向Ｆ及び幅方向Ｗに位置をずらしつつ並ぶ複数のノズル群の配置を「スタッガー配置」という。ノズルプレート２４及び保護部材２５の開口２５ａは、ノズル群毎に設けられる。また、スタッガー配置されたノズル群は、ノズル２３による液滴の噴射範囲に隙間が生じないように、幅方向Ｗにおける端部が搬送方向Ｆに重なっている。
【００２７】
図３に示すように、液体噴射ヘッド１３は、液体供給路２１を通じて液体が供給される共通液室６１と、共通液室６１とノズル２３に連通する液室であるキャビティ６２と、を備える。共通液室６１は、例えば、ノズル列毎に（すなわち、液体の種類毎に）、１のノズル群に含まれる複数のノズル２３に液体を供給するべく、複数のキャビティ６２に連通している。
【００２８】
また、液体噴射ヘッド１３は、キャビティ６２の内容積を増減させる方向に撓み変位可能な振動板６３と、振動板６３を介してキャビティ６２と区画された収容室６４に収容されたアクチュエーター６５と、を備える。アクチュエーター６５は、例えば、通電により圧縮変形する圧電素子６６を備える静電アクチュエーターである。圧電素子６６は振動板６３に取り付けられる。
【００２９】
駆動電圧が印加されることによって圧電素子６６が収縮変形すると、振動板６３がキャビティ６２の内容積を拡大する方向に撓み変位する。キャビティ６２の内容積が拡大すると、共通液室６１に貯留された液体がキャビティ６２内に導入される。その後通電を停止すると、圧電素子６６の収縮が解除される反動で、振動板６３がキャビティ６２の内容積を減少させる方向に撓み変位する。すると、内容積が急激に減少することによって、キャビティ６２内の液体がノズル２３内に押し出され、その押し出された液体がノズル２３から液滴として噴射される。振動板６３は、圧電素子６６に対して駆動電圧が印加された後、次の駆動電圧が印加されるまでの間に減衰振動する。この減衰振動を、振動板６３の残留振動という。
【００３０】
ここで、ノズル２３に気泡が混入したり目詰まりが生じたりすると、ノズル２３の状態が良好である場合とは異なるパターンで振動板６３が減衰振動する。そのため、アクチュエーター６５を振動板６３の変位から電圧を得るセンサーとして機能させ、圧電素子６６の駆動に伴う振動板６３の残留振動を検出することで、ノズル２３の状態が不良なノズル２３、すなわち不良ノズルを検出することが可能となる。
【００３１】
このとき、アクチュエーター６５は、ノズル２３の状態が良好か不良かをノズル２３毎に検出可能な検出部として機能する。アクチュエーター６５がノズル２３の状態が良好か不良かを検出することを、「ノズルチェック」ともいう。ノズルチェックは、印刷処理の途中に行うこともできるし、印刷処理を行わないときに、液滴を噴射しない程度に振動板６３を変位させて行うこともできる。
【００３２】
次に、メンテナンス装置３１の構成について詳述する。
図４に示すように、メンテナンス装置３１は、液体噴射ヘッド１３に対する相対移動に伴って開口面１３ｂを払拭する払拭部材３２と、ノズル２３から排出される液体を受容する受容キャップ４０と、ノズル２３が液体を噴射しないときに、開口面１３ｂとの間に閉空間を形成する保湿キャップ５０と、を備える。
【００３３】
受容キャップ４０は、ノズル群を個別に囲むように環状に形成された複数のリップ部４１を有する。リップ部４１はノズル群の配置に合わせてスタッガー配置される。また、第２方向Ｙに並ぶ２つのリップ部４１は、接続部４２を介して接続されることにより、平面視において略Ｈ型のキャップ部材４９を構成する。
【００３４】
環状のリップ部４１が囲む部分には吸引口４３が設けられ、吸引口４３には、吸引流路３５の上流端が接続されている。吸引流路３５は、ノズル列Ｎ１，Ｎ２に対応するリップ部４１に囲まれる吸引口４３に個別に接続される複数の分岐流路３５ｃと、ノズル列Ｎ３，Ｎ４に対応するリップ部４１に囲まれる吸引口４３に個別に接続される複数の分岐流路３５ｄと、を含む。複数の分岐流路３５ｃは合流して合流流路３５ａとなり、複数の分岐流路３５ｄは合流して合流流路３５ｂとなる。
【００３５】
合流流路３５ａ，３５ｂは、受容キャップ４０内（本実施形態ではリップ部４１で囲まれる領域）を吸引する吸引機構３６に接続されている。また、吸引機構３６から延びる吸引流路３５の下流端は、受容キャップ４０から吸引された液体を廃液として収容する廃液収容部３７に接続されている。合流流路３５ａ，３５ｂには、それぞれ開閉弁４６，４７を設けてもよい。廃液収容部３７には、廃液を吸収する吸収材３８を収容してもよい。
【００３６】
本実施形態の保湿キャップ５０は、すべてのノズル２３を覆う態様で設けられる単一のキャップ部材である封止部材５１と、封止部材５１を開口面１３ｂに向けて付勢する付勢部材５２（図５参照）と、を備える。封止部材５１は、保湿流路５３を介して廃液収容部３７に接続しておくことで、封止部材５１の内部空間と廃液収容部３７の内部空間と（特に、内部空間の上部）とを連通可能とすることが好ましい。保湿流路５３には、開閉弁５４を設けて、封止部材５１の内部空間と廃液収容部３７の内部空間の連通状態を切り替えられるようにするとよい。
【００３７】
廃液収容部３７は、その内部空間を密閉しておくよりも大気に連通させておいた方が廃液をスムーズに導入することができる。そのため、廃液収容部３７には、吸収材３８から離れた位置などに、廃液を収容する内部空間を外部空間と連通させる大気連通路３７ａを有することが好ましい。大気連通路３７ａは、経路を延長するための蛇行流路を含むことが好ましい。
【００３８】
払拭部材３２は、第２方向Ｙに並ぶ受容キャップ４０と保湿キャップ５０の間に、第１方向Ｘに延びる態様で配置される。払拭部材３２は、例えばゴム部材やエラストマーなど、弾性変形可能な板状部材から構成することが好ましいが、不織布等、液体を吸収可能な布や多孔質材などで構成してもよい。保湿キャップ５０、払拭部材３２及び受容キャップ４０の３つの構成要素は、支持部１８（図１参照）に近い方から順に、第２方向Ｙに並ぶように配置することが好ましい。この場合、支持部１８、保湿キャップ５０、払拭部材３２及び受容キャップは第２方向Ｙに沿って並び、保湿キャップ５０は受容キャップ４０よりも支持部１８に近い位置に配置される。
【００３９】
図５に示すように、メンテナンス装置３１は、受容キャップ４０を昇降移動させる昇降機構４５と、封止部材５１を昇降移動させる昇降機構５５と、備える。メンテナンス装置３１は、液体噴射ヘッド１３が図５に二点鎖線で示す第２位置にあるときに、クリーニング、ワイピング（払拭）及びキャッピングを含む各種のメンテナンス動作を行う。
【００４０】
次に、メンテナンス装置３１が行うメンテナンス動作について説明する。
クリーニングの一種である吸引クリーニングは、メンテナンス装置３１が図１に二点鎖線で示す位置にあるときに実行される。吸引クリーニングの実行にあたっては、まず、昇降機構４５により受容キャップ４０が上昇移動してリップ部４１がノズル群を囲むように開口面１３ｂに接触する。そして、キャップ部材４９が開口面１３ｂとの間に閉空間を形成した状態で吸引機構３６が駆動すると、液体噴射ヘッド１３内にある気泡等の異物が液体とともにノズル２３から排出される。
【００４１】
吸引クリーニングは、クリーニングによる液体消費量を抑えるために、開閉弁４６，４７の開閉により、ノズル列Ｎ１，Ｎ２とノズル列Ｎ３，Ｎ４とを別々に行ってもよい。あるいは、１または複数のノズル群に対応する吸引流路３５毎に開閉弁を設け、そのノズル群単位で吸引クリーニングを行うようにしてもよい。また、クリーニング時間を短縮するために、全てのノズル列について同時に行ってもよい。
【００４２】
ここで、吸引機構３６の駆動により吸引を行うと、閉空間に生じる負圧により、リップ部４１が内側に倒れて、閉空間が外気と連通してしまうことがある。特に、リップ部４１のように第１方向Ｘに細長いと、負圧によって長手方向に延びる部分が内側に倒れやすくなる。その点、本実施形態のキャップ部材４９は、第２方向Ｙに並ぶ２つのリップ部４１の長手方向に延びる部分を接続部４２で接続しているので、リップ部４１が内側に倒れにくい、という利点がある。
【００４３】
なお、他のクリーニングとして、加圧機構２２（図１参照）の加圧により液体噴射ヘッド１３からキャップ部材４９内に液体を排出させる加圧クリーニングを行うようにしてもよい。クリーニングは、受容キャップ４０が液体噴射ヘッド１３の下方にあるときに行われる。クリーニングを行うときのメンテナンス装置３１の位置（図１に二点鎖線で示す位置）を受容位置という。クリーニングは、印刷処理の開始前、印刷処理の終了後、またはノズルチェックにより不良ノズルが検出された場合などに実行される。
【００４４】
ワイピングは、液体噴射ヘッド１３が受容キャップ４０側から保湿キャップ５０側に移動するように、払拭部材３２に対して相対移動することで、実行される。本実施形態では、移動機構３４が、払拭部材３２を含むメンテナンス装置３１を支持部１８（図１参照）から遠ざかる第２方向Ｙに移動させて、払拭部材３２の先端部分で開口面１３ｂを払拭する。本実施形態において、払拭時の液体噴射ヘッド１３と払拭部材３２の相対移動方向は、第２方向Ｙに沿う方向となる。図１，図４〜図７において、ワイピング時の払拭方向を白抜き矢印で示す。なお、払拭方向とは、開口面１３ｂにおいて払拭が進行する方向であり、払拭時に液体噴射ヘッド１３が移動しない場合には払拭部材３２の移動方向であり、払拭時に払拭部材３２が移動しない場合には、液体噴射ヘッド１３の移動方向の反対方向である。
【００４５】
ワイピングは、液体噴射ヘッド１３に液体などの汚れが付着したときに行うことが好ましい。例えば、クリーニングの後には、開口面１３ｂにノズル２３から排出された液体が付着しているので、ワイピングを行うとよい。また、液体噴射ヘッド１３が媒体Ｓに向けて液体を噴射していると、その噴射に伴って微細なミストが発生し、開口面１３ｂ等に付着していく。その付着量が多くなると、付着した液体が液滴となって垂れ落ち、媒体Ｓや周辺の部材を汚してしまうことがある。そのため、印刷処理が長時間に及ぶ場合などには、液体が垂れ落ちないように、所定のタイミングで印刷処理の途中にワイピングを行ってもよい。
【００４６】
キャッピングは、図１に実線で示すように、保湿キャップ５０が液体噴射ヘッド１３の下方にあるときに実行される。キャッピングを実行する際には、昇降機構５５が封止部材５１を上昇移動させて、開口面１３ｂとの間に閉空間を形成する。キャッピングを行うときのメンテナンス装置３１の位置をキャッピング位置という。キャッピングは、電源オフ時を含め、液体噴射ヘッド１３が液体の噴射動作を休止するときに、ノズル２３の乾燥を抑制するために行う。
【００４７】
そのため、封止部材５１と廃液収容部３７を接続する保湿流路５３に設けた開閉弁５４は、封止部材５１が閉空間を形成するとき（キャッピングをするとき）には開弁し、廃液収容部３７内に収容された廃液から気化した液体成分（液体が水溶性のインクの場合、水分）により、閉空間を加湿するとよい。一方、封止部材５１が閉空間を形成しないとき（キャッピングをしないとき）には、開閉弁５４を閉弁して、廃液収容部３７内に収容された廃液の気化を抑制するとよい。なお、大気連通路３７ａが蛇行流路を含むようにしておくと、廃液収容部３７内を大気に連通させつつ、廃液の気化を抑制することができる。
【００４８】
その他、液体噴射ヘッド１３は、メンテナンス動作として、軽微な噴射不良が生じたときやワイピングの後などに、液体を噴射して吐き捨てるフラッシングを行う。液体噴射ヘッド１３が第２位置にあるときには、移動機構３４がメンテナンス装置３１を受容位置に移動させてフラッシングを行い、フラッシングにより吐き捨てられた液体をキャップ部材４９で受容するとよい。この場合、キャップ部材４９は上昇移動させず、液体噴射ヘッド１３から離れた位置に配置しておく方がよい。また、キャップ部材４９で受容した液体は、吸引機構３６の駆動により、廃液収容部３７に収容するとよい。
【００４９】
その他、図１に示すように、支持部１８に、媒体Ｓを支持するリブ１８ａと、リブ１８ａの周囲に設けられた凹状の液体受容部１８ｂとを設け、支持部１８上に媒体Ｓがないときに液体受容部１８ｂに向けてフラッシングを行うようにしてもよい。この場合、液体噴射ヘッド１３は、第１位置においてフラッシングを行うことになる。
【００５０】
支持部１８に液体受容部１８ｂを設けておくと、例えば複数の媒体Ｓに印刷処理を行う場合に、搬送される媒体Ｓと媒体Ｓとの間（紙間）に、液体噴射ヘッド１３を第１位置に配置したままでフラッシングを行うことができる。そのため、液体噴射ヘッド１３が印刷処理の途中に第２位置に変位してキャップ部材４９に向けてフラッシングを行うより、メンテナンス動作の時間を短縮できる。また、紙間に行うフラッシングの際に、その液体噴射に伴って生じる残留振動を利用してノズルチェックを行うようにしてもよいし、紙間に液滴を噴射しない程度に振動板６３を変位させてノズルチェックを行うようにしてもよい。
【００５１】
なお、液体受容部１８ｂで受容した液体を、図示しない廃液チューブ等を通じて廃液収容部３７に収容してもよい。この構成によれば、液体受容部１８ｂで受容可能な液体の量を多くすることができ、また、その受容した液体を容易に処理することができる。さらに、液体受容部１８ｂで受容した液体により、廃液収容部３７内や封止部材５１が形成する閉空間を加湿することができる。
【００５２】
上述のように、メンテナンス装置３１は、液体噴射ヘッド１３の状況に応じて異なるメンテナンス動作を行う。また、メンテナンス装置３１は、クリーニング、ワイピングまたはキャッピングを行う場合に、それぞれ異なる場所に移動する必要がある。そのため、移動機構３４は、液体噴射ヘッド１３の状況に応じて、メンテナンス装置３１を移動させることが好ましい。
【００５３】
例えば、印刷処理の開始前にキャッピングが行われている場合、液体噴射ヘッド１３は第２位置にあって、メンテナンス装置３１はキャッピング位置にある。そして、印刷処理を開始するときには、封止部材５１が液体噴射ヘッド１３から離れるように下降移動してキャッピングを解除し、液体噴射ヘッド１３が第１位置に移動して、媒体Ｓに対する印刷処理（液体噴射動作）を行う。
【００５４】
この印刷処理において、その処理量（印刷枚数、噴射する液滴数または噴射時間など）が所定の閾値より小さい間は、メンテナンス装置３１はキャッピング位置に留まっておくことが好ましい。これにより、少量の印刷処理を終えて、液体噴射ヘッド１３が第１位置から第２位置に変位した場合には、キャッピング位置にある保湿キャップ５０により速やかにキャッピングを行うことができる。
【００５５】
一方、処理量が前述の閾値以上になる場合、印刷処理が終わるまでの間に、移動機構３４がメンテナンス装置３１をキャッピング位置から受容位置に移動させておくことが好ましい。そうすると、多量の印刷処理を終えて、液体噴射ヘッド１３が第１位置から第２位置に変位した後、移動機構３４がメンテナンス装置３１を受容位置から払拭方向（第２方向Ｙ）に移動させることで、払拭部材３２によって開口面１３ｂに付着したミストを速やかに払拭することができる。さらに、払拭部材３２が開口面１３ｂを払拭した後、すぐに保湿キャップ５０によりキャッピングを行うこともできる。
【００５６】
さらに、印刷処理の間または紙間にノズルチェックを行って不良ノズルを検出した場合にも、その印刷処理が終わるまでの間に、移動機構３４がメンテナンス装置３１を受容位置に移動させておくとよい。そうすると、印刷処理を中断して、あるいは、印刷処理を終えて液体噴射ヘッド１３が第１位置から第２位置に変位した後、払拭部材３２による払拭、フラッシングまたはクリーニング等のメンテナンス動作を速やかに開始することができる。
【００５７】
次に、以上のように構成された液体噴射装置１１の作用について説明する。
ワイピング（払拭）においては、払拭部材３２が開口面１３ｂに付着した液体を掻き寄せるため、払拭を終えた払拭部材３２が液体噴射ヘッド１３から離れるときに、掻き寄せられた液体が払拭方向に飛び散ってしまうことがある。特に、払拭部材３２を弾性体で構成し、弾性変形させつつ開口面１３ｂの汚れを掻き取る場合には、払拭部材３２が液体噴射ヘッド１３から離れるときに、その先端が払拭方向に向けて勢いよく撓み変位することにより、液体が払拭方向に飛び散り易い。
【００５８】
このように飛び散った液体が封止部材５１に付着すると、その液体がキャッピングに伴って液体噴射ヘッド１３に付着してしまうことがある。そうすると、液体噴射ヘッド１３が汚れてノズル２３に噴射不良が生じたり、印刷処理のときに媒体Ｓが液体噴射ヘッド１３に接触して汚れてしまったりする。
【００５９】
また、この液体がグリセリン等を保湿剤として含む水性インクである場合、封止部材５１内に入ったインクに含まれる保湿剤の吸湿力により、キャッピングをしている間にノズル２３内のインクに含まれる水分が奪われてしまうことがある。そして、ノズル２３内のインクから水分が失われると、インクの粘度が増して、噴射不良の原因となってしまうおそれがある。
【００６０】
その点、本実施形態の液体噴射装置１１では、液体噴射ヘッド１３が受容キャップ４０側から保湿キャップ５０側に移動するように払拭部材３２に対して相対移動することで払拭を行うので、液体が飛ぶ先には、受容キャップ４０がある。そのため、保湿キャップ５０の方にはほとんど液体が飛ばず、飛散した液体が封止部材５１に付着しにくい。そして、受容キャップ４０は本来、液体を受容するための構成を備えるので、飛散した液体が付着したとしても、大きな問題は生じない。なお、飛散した液体を効率よく受容するため、受容キャップ４０が封止部材５１のような単一のキャップ部材を備えてもよい。
【００６１】
上記実施形態によれば、以下のような効果を得ることができる。
（１）開口面１３ｂを払拭するときには、液体噴射ヘッド１３が受容キャップ４０側から保湿キャップ５０側に移動するように払拭部材３２に対して相対移動するので、払拭部材３２が払拭を終えて液体噴射ヘッド１３から離れるときに、その払拭方向の先には受容キャップ４０がある。そのため、払拭を行った後に、払拭部材３２が液体噴射ヘッド１３から離れるときの勢いで、払拭により掻き集めた液体等が払拭方向に飛散したとしても、その飛散した液体は、液体を受容するための受容キャップ４０に受容される。そして、保湿キャップ５０の方には払拭した液体が飛散しにくいので、保湿キャップ５０に液体が付いたり、保湿キャップ５０を介して液体が液体噴射ヘッド１３に付いたり、その液体噴射ヘッド１３を介して媒体Ｓが汚れたりもしにくい。したがって、払拭により液体噴射ヘッド１３から飛散した液体による汚染を抑制することができる。
【００６２】
（２）保湿キャップ５０は受容キャップ４０よりも支持部１８に近い位置に配置されるので、液体噴射ヘッド１３の払拭に伴って液体が飛散したとしても、その飛散した液体は支持部１８から離れる方向に飛ぶ。そのため、払拭により液体噴射ヘッド１３から飛散した液体による支持部１８の汚染を抑制することができる。
【００６３】
（３）変位機構１４が液体噴射ヘッド１３を回動させることにより、液体噴射ヘッド１３の姿勢をスムーズに変化させることができる。
（４）廃液収容部３７と保湿キャップ５０を構成する封止部材５１とが保湿流路５３を介して連通することにより、廃液収容部３７に収容された廃液から気化した成分を封止部材５１内に導入することができる。これにより、封止部材５１が形成する閉空間を加湿して、この閉空間に開口するノズル２３を効果的に保湿することができる。
【００６４】
（５）保湿キャップ５０が閉空間を形成するときに開閉弁５４が開弁することで、廃液収容部３７内で気化した廃液の成分を閉空間に導入し、加湿することができる。また、保湿キャップ５０が閉空間を形成しないときには、開閉弁５４が閉弁することで、廃液収容部３７に収容された廃液の蒸発を抑制することができる。
【００６５】
（６）廃液収容部３７は大気連通路３７ａとして蛇行流路を有するので、廃液収容部３７に収容された廃液の蒸発を抑制しつつ、廃液収容部３７の内部空間を大気開放することができる。
【００６６】
なお、上記実施形態は以下に示す変更例のように変更してもよい。また、上記実施形態に含まれる各構成と下記変更例に含まれる各構成とは、任意に組み合わせてもよい。
・変位機構１４は、液体噴射ヘッド１３を回動させるものに限らず、例えば第２方向Ｙに沿って移動させることにより、支持部１８と開口面１３ｂが対向する第１位置と、メンテナンス動作を行う第２位置とに液体噴射ヘッド１３を変位させてもよい。この場合には、液体噴射ヘッド１３を第２方向Ｙに沿って受容キャップ４０側から保湿キャップ５０側に移動することで、受容キャップ４０と保湿キャップ５０の間にある払拭部材３２で払拭を行うようにしてもよい。また、液体噴射ヘッド１３と払拭部材３２の両方が互いに反対方向に移動することで払拭を行うようにしてもよい。
【００６７】
・図６に、第１変更例の液体噴射装置１１Ａを示す。図６においては、液体を噴射する方向を噴射方向Ｚ、印刷処理を行うときに媒体Ｓが搬送される方向を搬送方向Ｙ、噴射方向Ｚと搬送方向Ｙの双方と異なる方向を移動方向Ｘとする。
【００６８】
液体噴射装置１１Ａは、筐体１２と、筐体１２内に架設されるガイド軸２６と、ガイド軸２６に案内されて移動方向Ｘに沿って往復移動するキャリッジ２７とを備え、このキャリッジ２７が液体噴射ヘッド１３を保持するシリアルタイプのプリンターである。液体噴射装置１１Ａは、液体噴射ヘッド１３に供給される液体を収容した液体収容体１９をキャリッジ２７に保持するオンキャリッジタイプでもよいし、液体収容体１９をキャリッジ２７上でない位置に配置するオフキャリッジタイプでもよい。
【００６９】
筐体１２内には、キャリッジ２７の移動方向Ｘの一端（図６では右端）から順に、受容キャップ４０、払拭部材３２、保湿キャップ５０、支持部１８を配置するとよい。なお、本変更例の受容キャップ４０は、すべてのノズル２３を覆う態様で設けられる単一のキャップ部材４９を備える。また、メンテナンス装置３１は、払拭部材３２を昇降移動させる昇降機構３３を備え、ワイピングを行わないときには、移動方向Ｘに沿って移動する液体噴射ヘッド１３と接触しない低い位置に払拭部材３２を下降させておく。
【００７０】
そして、本変更例では、液体噴射ヘッド１３がキャリッジ２７とともに受容キャップ４０側から保湿キャップ５０側に移動するときに、受容キャップ４０と保湿キャップ５０の間にある払拭部材３２がワイピング（払拭）を行う。
【００７１】
・図７に、第２変更例の液体噴射装置１１Ｂを示す。液体噴射装置１１Ｂは、図６に示す第１変更例と同様のシリアルタイプのプリンターであるが、移動機構３４が搬送方向Ｙに延びるガイドレール３４ａを備え、メンテナンス装置３１をガイドレール３４ａに沿って搬送方向Ｙに移動させてワイピングを行う点が第１変更例と異なる。また、第２変更例のメンテナンス装置３１は、搬送方向Ｙの上流側から下流側に向けて順番に配置された保湿キャップ５０、払拭部材３２及び受容キャップ４０を備える。
【００７２】
そして、液体噴射ヘッド１３が印刷処理を行うときには、移動機構３４が液体噴射ヘッド１３の移動経路上に受容キャップ４０を配置し、記録処理の合間などに液体噴射ヘッド１３が受容キャップ４０に向けてフラッシングを行う。このとき、払拭部材３２は、液体噴射ヘッド１３に接触しないように、液体噴射ヘッド１３の移動経路の外側に配置される。
【００７３】
液体噴射装置１１Ｂにおいてワイピングを行うときには、まず、液体噴射ヘッド１３をメンテナンス装置３１の移動経路上に移動させておく。その後、移動機構３４がメンテナンス装置３１を搬送方向Ｙに移動させて、払拭部材３２を開口面１３ｂに摺接させる。なお、ワイピングは、移動機構３４がメンテナンス装置３１を搬送方向Ｙの反対方向に移動させて行うこともできる。この場合、メンテナンス装置３１は、搬送方向Ｙの下流側から上流側に向けて順番に配置された保湿キャップ５０、払拭部材３２及び受容キャップ４０を備えるとよい。
【００７４】
・封止部材５１に保湿剤を導入する機構を備えてもよい。この構成によれば、キャッピング時に封止部材５１内にある保湿剤によって、閉空間を加湿して、ノズル２３をより長時間保湿することができる。
【００７５】
・封止部材５１に付着した液体を除去するための除去部材を備えてもよい。例えば、封止部材５１内に液体を吸収する吸収部材を収容して、封止部材５１内に入った液体を吸収部材が吸収するようにすれば、キャッピング時にその液体が液体噴射ヘッド１３に付着しにくくなる。あるいは、液体噴射ヘッド１３の開口面１３ｂより外側に、保湿キャップ５０の封止部材５１と接触可能な吸収部材を設けてもよい。このようにすることで、封止部材５１に液体が付着した場合でもその液体を除去することができるため、液体による汚染を抑制することができる。またこの場合、封止部材５１に付着した液体を吸収部材に転写させやすくするために、封止部材５１に撥水処理を施してもよい。
【００７６】
・受容キャップ４０、保湿キャップ５０または払拭部材３２は、それぞれ別の移動機構により移動する構成にしてもよい。あるいは、これら３つのうちの何れか２つを１つの移動機構で移動させ、残る１つを別の移動機構で移動させるようにしてもよい。
【００７７】
・メンテナンス装置３１を交換可能なユニットにしてもよい。あるいは、保湿キャップ５０または払拭部材３２を交換可能なユニットにしてもよい。この構成によれば、保湿キャップ５０または払拭部材３２等の部材が液体で汚れてしまったとしても、交換によりその汚れをリセットできる。また、ユニット単位で部材等を交換することで、他の部材を引き続き使用することができる。
【００７８】
・液体噴射ヘッド１３が噴射する液体はインクに限らず、例えば機能材料の粒子が液体に分散又は混合されてなる液状体などであってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して印刷を行う構成にしてもよい。
【００７９】
・媒体Ｓは用紙に限らず、プラスチックフィルムや薄い板材などでもよいし、捺染装置などに用いられる布帛であってもよい。また、媒体Ｓは所定のサイズに切断された単票でなくてもよく、例えば円筒状に巻かれたロール状の媒体であってもよいし、Ｔシャツなど、任意の形状の衣類等であってもよいし、食器または文具のような任意の形状の立体物であってもよい。
【符号の説明】
【００８０】
１１…液体噴射装置、１２…筐体、１３…液体噴射ヘッド、１３ｂ…開口面、１４…変位機構、１５…保持部材、１６…回動軸、１７…カセット、１８…支持部、１８ａ…リブ、１８ｂ…液体受容部、１９…液体収容体、２０…装着部、２１…液体供給路、２２…加圧機構、２３…ノズル、２４…ノズルプレート、２５…保護部材、３１…メンテナンス装置、３２…払拭部材、３３…昇降機構、３４…移動機構、３５…吸引流路、３６…吸引機構、３７…廃液収容部、３８…吸収材、４０…受容キャップ、４１…リップ部、４２…接続部、４３…吸引口、４５…昇降機構、４６…開閉弁、４７…開閉弁、４９…キャップ部材、５０…保湿キャップ、５１…封止部材、５２…付勢部材、５３…保湿流路、５４…開閉弁、５５…昇降機構、６１…共通液室、６２…キャビティ、６３…振動板、６４…収容室、６５…アクチュエーター、６６…圧電素子、１００…制御部、Ｓ…媒体。
【図１】
2018001663.tif 000003
【図２】
2018001663.tif 000004
【図３】
2018001663.tif 000005
【図４】
2018001663.tif 000006
【図５】
2018001663.tif 000007
【図６】
2018001663.tif 000008
【図７】
2018001663.tif 000009